(57)【要約】【課題】特定の加工処理を効果的に施すための条件を事前に知る。【解決手段】撮像装置１の制御部１４は、撮像部１１によって撮像された撮像画像における主要被写体領域と主要被写体領域以外によって構成される背景領域との関係に基づき、撮像画像が、ぼかし処理に適した画像であるか否かを判別する。ぼかし処理に適してないと判別すると、撮像装置１の制御部１４は、ぼかし処理に適した画像を撮像するための条件を示すぼかし条件情報を、表示部１２に表示されているライブビュー画像と関連付けて表示する。【選択図】図１
2014057150.tif 000002
【特許請求の範囲】
【請求項１】
撮像手段と、
前記撮像手段によって撮像された撮像画像における主要被写体領域と主要被写体領域以外によって構成される背景領域との関係に基づき、前記撮像画像が特定の加工処理を施すに適した画像であるか否かを判別する判別手段と、
前記判別手段が否と判別した場合、前記特定の加工処理を施すのに適した画像を撮像するための条件を、前記撮像手段によって撮像されている画像と関連付けて表示する表示手段と、
を備えることを特徴とする撮像装置。
【請求項２】
前記撮像手段によって撮像されている画像から、前記特定の加工処理を施すための条件を満たす画像を生成する生成手段を更に備え、
前記表示手段は、前記生成手段によって生成された画像を前記撮像されている画像に重畳して表示する、
ことを特徴とする請求項１に記載の撮像装置。
【請求項３】
前記表示手段によって前記撮像されている画像と前記生成手段によって生成された画像とにおいて、前記主要被写体領域同士が略一致した場合に、前記特定の加工処理に適した画像を撮像することが可能になったことを報知する報知手段をさらに備える、
ことを特徴とする請求項２に記載の撮像装置。
【請求項４】
前記生成手段は、前記特定の加工処理を施すための条件を満たす画像として、前記撮像手段によって撮像されている画像から、前記主要被写体領域と前記背景領域との面積比が所定比率になるように該主要被写体領域を拡大／縮小した画像を生成する、
ことを特徴とする請求項２又は３に記載の撮像装置。
【請求項５】
前記特定の加工処理とは前記主要被写体領域と前記背景領域との面積比が所定比率である場合に効果的な処理であるとともに、前記判別手段は前記主要被写体領域と前記背景領域との関係として前記面積比に基づいて判別する、
ことを特徴とする請求項１乃至４の何れか１項に記載の撮像装置。
【請求項６】
フォーカスレンズと、
前記主要被写体領域に合焦した際の前記フォーカスレンズの位置情報と、前記背景領域に合焦した際の前記フォーカスレンズの位置情報とを取得するレンズ位置取得手段と、
を更に備え、
前記特定の加工処理とは前記主要被写体領域に合焦した際の前記フォーカスレンズの位置情報と前記背景領域に合焦した際の前記フォーカスレンズの位置情報とが所定範囲内にある場合に効果的な処理であるとともに、前記判別手段は前記主要被写体領域と前記背景領域との関係として前記レンズ位置取得手段によって取得された夫々の位置情報に基づいて判別する、
ことを特徴とする請求項１乃至４の何れか１項に記載の撮像装置。
【請求項７】
前記特定の加工処理とは、前記撮像画像において前記主要被写体領域に合焦し前記背景領域をぼかし加工する処理である、
ことを特徴とする請求項１乃至６の何れか１項に記載の撮像装置。
【請求項８】
撮像部を有する装置が備えるコンピュータを、
前記撮像部によって撮像された撮像画像における主要被写体領域と主要被写体領域以外によって構成される背景領域との関係に基づき、前記撮像画像が特定の加工処理を施すに適した画像であるか否かを判別する判別手段、
前記判別手段が否と判別した場合、前記特定の加工処理を施すのに適した画像を撮像するための条件を、前記撮像部によって撮像されている画像と関連付けて表示出力する表示出力手段、
として機能させることを特徴とするプログラム。
【発明の詳細な説明】
【技術分野】
【０００１】
本発明は、撮像装置、及び、プログラムに関する。
【背景技術】
【０００２】
遠近感のある自然な画像を得るために、測定して得られた距離情報から画像内の背景と被写体とを判定し、背景のみをぼかした画像を作成するぼかし処理を行うカメラが知られている。
【０００３】
しかしながら、カメラの搭載している光学部材（レンズ等）の性能によっては、十分な距離情報を取得できない場合がある。このような場合に上記のぼかし処理を行うと、被写体と背景との判定を誤り、不適切なぼかし処理を行ってしまうという不具合を生じる。
【０００４】
特許文献１には、十分な距離情報を取得できない場合に、ライブビューに矩形の枠を重畳表示し、この枠に対するユーザからの指示操作を検出することで主要被写体像の領域と背景の領域とを判定する技術について記載されている。
【先行技術文献】
【特許文献】
【０００５】
【特許文献１】特開２００９−５５１２５号公報
【発明の概要】
【発明が解決しようとする課題】
【０００６】
撮像画像の状態によっては、上述のぼかし処理を施しても、効果的に、自然な遠近感のある画像を作成できない場合がある。特許文献１には、主に被写体と背景とを判定するための手法についての記載があるだけであり、依然としてこの問題を解決することはできなかった。
【０００７】
本願発明は上記実情に鑑みてなされたものであり、特定の加工処理を効果的に施すための条件を事前に知ることができる撮像装置、および、プログラムを提供することを目的とする。
【課題を解決するための手段】
【０００８】
上記目的を達成するため本発明は、撮像手段と、前記撮像手段によって撮像された撮像画像における主要被写体領域と主要被写体領域以外によって構成される背景領域との関係に基づき、前記撮像画像が特定の加工処理を施すに適した画像であるか否かを判別する判別手段と、前記判別手段が否と判別した場合、前記特定の加工処理を施すのに適した画像を撮像するための条件を、前記撮像手段によって撮像されている画像と関連付けて表示する表示手段と、を備えることを特徴とする。
【発明の効果】
【０００９】
本発明によれば、特定の加工処理を効果的に施すための条件を事前に知ることが可能となる。
【図面の簡単な説明】
【００１０】
【図１】本発明の実施形態に係る撮像装置の構成を示すブロック図である。
【図２】ぼかし処理の動作を説明するためのフローチャートである。
【図３】距離情報を利用したぼかし判別処理の動作を説明するためのフローチャートである。
【図４】レンズ位置情報を利用したぼかし判別処理の動作を説明するためのフローチャートである。
【図５】ライブビュー画像に拡大／縮小被写体画像を重畳表示する処理を説明するための図である。
【発明を実施するための形態】
【００１１】
以下、本発明の実施形態について、図面を参照しながら詳細に説明する。なお、本発明は下記の実施形態及び図面によって限定されるものではない。また、本発明の要旨を変更しない範囲で下記の実施形態及び図面に変更を加えることが出来る。また、図中同一または相当部分には同一符号を付す。
【００１２】
本発明の実施形態に係る撮像装置１は、例えば、デジタルカメラである。撮像装置１は、図１に示すように、撮像部１１と、表示部１２と、操作部１３と、制御部１４と、記憶部１５と、記録メディアＩＦ（インタフェース）部１６とを備える。
【００１３】
撮像部１１は、ＣＣＤ（Charge Coupled Device）、フォーカスレンズ、レンズ駆動モータ等を備え、制御部１４の指示に応じた撮像タイミングやズーム率で撮像動作を行う。
【００１４】
表示部１２は、例えば、ＬＣＤ（Liquid Crystal Display）であり、制御部１４からの指示に応じて、各種の画像やデータを表示する。また、表示部１２には、制御部１４からの指示に応じて、撮像部１１が逐次撮像した画像（ライブビュー画像）がリアルタイムに表示される。
【００１５】
操作部１３は、撮像装置の外面上の設けられている各種のボタン等によって構成され、ユーザによる操作に応じた入力信号を生成して制御部１４に送出する。操作部１３を構成するボタンには、シャッターボタン、操作キー、電源キー、モード切替ボタン等が含まれる。
【００１６】
制御部１４は、ＣＰＵ（Central Processing Unit）やＤＳＰ（Digital Signal Processor）を備え、記憶部１５に記憶されているプログラムを実行することで撮像装置１全体を制御する。また、制御部１４は、自然な遠近感のある画像を取得するために、撮像画像の背景領域をぼかすぼかし処理を行う。ぼかし処理の詳細については後述する。
【００１７】
記憶部１５は、ＲＡＭ（Random Access Memory）やＲＯＭ（Read Only Memory）やフラッシュメモリ等を備え、撮像装置１の動作に必要なプログラムやデータやカウンタ等を格納する。また、記憶部１５は、制御部１４のワークエリアとしても機能する。さらに、記憶部１５には、適切なぼかし処理が可能な主要被写体領域と背景領域との面積比の範囲を示す情報が記憶されている。
【００１８】
記録メディアＩＦ部１６は、コネクタやメモリコントローラ等を備え、記録メディア２と接続するためのインタフェースである。記録メディア２には、撮像部１１が撮像した画像が記録される。
【００１９】
以上、本発明を実現するために必要となる撮像装置１の構成について説明した。なお、撮像装置１は、このほかにも、一般的なデジタルカメラの機能を実現するための構成を備えているものとする
【００２０】
続いて、撮像装置１で実行されるぼかし処理の動作について、図２のフローチャートを参照して説明する。
【００２１】
ユーザが操作部１３のモード切替ボタンを操作して撮影モードをぼかしモードに設定すると、撮像装置１の表示部１２には、撮像部１１によって逐次撮像された画面（ライブビュー画面）がリアルタイムで表示される。ユーザは、ライブビュー画面に撮像したい被写体を収め、操作部１３のシャッターボタンを押下する。シャッターボタンの押下に応答して、制御部１４は、撮像部１１に撮像を指示し、撮像画像を取得する（ステップＳ１０１）。
【００２２】
続いて、制御部１４は、公知の手法により、ステップＳ１０１で取得した撮像画像にぶれが見られるか否かを判別する（ステップＳ１０２）。例えば、制御部１４は、撮像画像からエッジラインを検出し、エッジラインが全体的に二重に検出できる場合にぶれが見られると判別すればよい。又は、加速度計等を備えたぶれ検出センサを撮像装置１に備えておき、ぶれ検出センサの検出信号に基づいてぶれが見られるか否かを判別してもよい。
【００２３】
撮像画像にぶれが見られると判別された場合（ステップＳ１０２；Ｙｅｓ）、制御部１４は、エラーとしてぼかし処理を終了する。
【００２４】
撮像画像にぶれが見られないと判別された場合（ステップＳ１０２；Ｎｏ）、制御部１４は、撮像画像を解析して、撮像部１１（レンズ）から被写体までの距離情報を十分取得できるか否かを判別する（ステップＳ１０３）。
例えば、制御部１４は、特許文献１に記載されているように、ＣＣＤＡＦのスキャンにより得られた領域毎のＡＦ評価値（領域内の画像のコントラストの積算値）から求めたレンズの駆動位置やレンズの焦点距離等の情報に基づいて、撮像画像を区分した領域毎に距離情報の算出を試みる。そして、制御部１４は、距離情報を算出できなかった領域の数が所定数以上（又は所定割合以上）ある場合に、距離情報を十分取得できなかったと判別すればよい。
【００２５】
距離情報を十分取得できると判別された場合（ステップＳ１０３；Ｙｅｓ）、制御部１４は、距離情報を利用して撮像画像がぼかし処理に適した画像であるか否かを判別するぼかし判別処理を実行する（ステップＳ１０４）。
【００２６】
ここで、距離情報を利用したぼかし判別処理（ステップＳ１０４）の詳細について、図３のフローチャートを参照して説明する。まず、制御部１４は、撮像画像を解析して、撮像画像を区分した領域毎に、撮像部１１（レンズ）から被写体までの距離情報を算出する（ステップＳ１０４１）。
【００２７】
続いて、制御部１４は、領域毎に算出した距離情報の分布から主要被写体領域を特定する（ステップＳ１０４２）。例えば、制御部１４は、距離情報から、最もレンズに近い距離にある領域と該領域から所定距離以内にある領域とを判別し、これらの領域を主要被写体領域と特定すればよい。または、このようにして特定した領域の周辺を囲むエッジラインを検出し、検出したエッジラインで囲まれた領域を主要被写体領域と特定してもよい。
なお、算出した距離情報の分布から、所要被写体領域と背景領域と間の中間距離に位置する物体等があることが判別された場合、以降のぼかし加工を施しても自然な画像を得ることは困難である。従って、この場合、制御部１４は、エラーとしてぼかし処理を終了してもよい。
【００２８】
続いて、制御部１４は、特定した主要被写体領域とそれ以外の領域（背景領域）との面積比を算出し、面積比に基づいて、撮像画像がぼかし処理に適した画像であるか否かを判別する（ステップＳ１０４３）。
例えば、制御部１４は、主要被写体領域とそれ以外の領域（背景領域）との面積比が所定の範囲内にある場合に、撮像画像はぼかし処理に適していると判別すればよい。
また、面積比が所定の範囲外にある場合、撮像画像内において、主要被写体領域が大きすぎるため（又は小さすぎるため）、背景領域にぼかし加工を施しても自然な遠近感を出すことができず却って不自然となる。従って、この場合、制御部１４は、撮像画像はぼかし処理に適していないと判別すればよい。
以上で距離情報を用いたぼかし判別処理は終了する。
【００２９】
図２に戻り、距離情報を十分に取得できないと判別された場合（ステップＳ１０３；Ｎｏ）、制御部１４は、フォーカスレンズの位置情報を利用して撮像画像がぼかし処理に適した画像であるか否かを判別するぼかし判別処理を実行する（ステップＳ１０５）。
【００３０】
ここで、フォーカスレンズの位置情報を利用したぼかし判別処理（ステップＳ１０５）の詳細について、図４のフローチャートを参照して説明する。
【００３１】
まず、制御部１４は、撮像画像の色相に基づいて、主要被写体領域を判別する（ステップＳ１０５１）。具体的には、制御部１４は、撮像画像を区分した領域毎に色相を判別した色相マップを作成する。そして、制御部１４は、色相マップから、各色相の領域（色相領域）を判別する。そして、制御部１４は、各色相領域の面積や分散や重心位置を求め、これらの情報から、被写体領域に対応する色相領域を判別すればよい。
【００３２】
続いて、制御部１４は、撮像部１１のレンズ駆動モータ等を制御して、判別した主要被写体領域（の中心）に合焦するようにフォーカスレンズを移動させ、このときのフォーカスレンズの位置情報を取得する（ステップＳ１０５２）。
【００３３】
続いて、制御部１４は、撮像部１１のレンズ駆動部を制御して、主要被写体領域以外の背景となる領域に合焦するようにフォーカスレンズを移動させ、このときのフォーカスレンズの位置情報を取得する（ステップＳ１０５３）。
【００３４】
続いて、制御部１４は、ステップＳ１０５２とステップＳ１０５３とで取得した各レンズ位置情報に基づいて、撮像画像がぼかし処理に適した画像であるか否かを判別する（ステップＳ１０５４）。
例えば、制御部１４は、ステップＳ１０５２で取得したレンズ位置情報とステップＳ１０５３で取得したレンズ位置情報との差が所定範囲内にある場合、撮像画像はぼかし処理に適していると判別すればよい。
また、レンズ位置情報の差が所定範囲外にある場合、撮像画像内において、被写体（又は背景）にピントが寄りすぎており、このままぼかし処理を施すと自然な遠近感を出すことができない。従って、この場合、制御部１４は、撮像画像はぼかし処理に適していないと判別すればよい。
以上でレンズ位置情報を用いたぼかし判別処理は終了する。
【００３５】
図２に戻り、ステップＳ１０４又はステップＳ１０５のぼかし判別処理で撮像画像がぼかし処理に適していると判別された場合（ステップＳ１０６；Ｙｅｓ）、制御部１４は、撮像画像の主要被写体領域以外の領域（背景領域）にぼかし処理を施す（ステップＳ１１５）。具体的には、制御部１４は、ぼかし判別処理のステップＳ１０４２又はステップＳ１０５１で判別した主要被写体領域以外の領域のみに空間フィルタを適用することでぼかし処理を施す。
続いて、制御部１４は、記録メディアＩＦ部１６を介して、ぼかし処理を施した撮像画像を記録メディア２に記録し（ステップＳ１１６）、ぼかし処理は終了する。
【００３６】
ぼかし判別処理で撮像画像がぼかし処理に適していないと判別された場合（ステップＳ１０６；Ｎｏ）、制御部１４は、ぼかし処理に適した画像にするための、主要被写体領域の拡大／縮小率を算出する（ステップＳ１０７）。
例えば、制御部１４は、主要被写体領域とそれ以外の領域との面積比がぼかし処理に適した所定範囲内になるような主要被写体領域の拡大／縮小率を算出すればよい。若しくは、制御部１４は、主要被写体領域に合焦した際のフォーカスレンズの位置とそれ以外の領域に合焦した際のフォーカスレンズの位置との差が所定範囲内になるような主要被写体領域の拡大／縮小率を算出すればよい。
【００３７】
続いて、制御部１４は、算出した拡大／縮小率で、撮像画像全体を拡大／縮小する（ステップＳ１０８）。
【００３８】
そして、制御部１４は、拡大／縮小した撮像画像から主要被写体領域を特定し、その部分を切り出す（ステップＳ１０９）。なお、主要被写体領域は、上述したように、距離情報や、色相等から特定すればよい。また、本処理で切り出した部分を拡大／縮小被写体画像と呼称して以下説明する。
なお、タッチフォーカスやマニュアルフォーカス等でユーザから合焦位置が指定されている場合は、当該合焦位置の周辺領域を拡大／縮小被写体画像として切り出してもよい。
【００３９】
続いて、制御部１４は、切り出した拡大／縮小被写体画像に半透明処理を施し、表示部１２に表示されているライブビュー画像に重畳して表示する（ステップＳ１１０）。なお、拡大／縮小被写体画像の輪郭線のみをライブビュー画像に重畳表示してもよい。また、制御部１４は、ライブビュー画像内の主要被写体画像と重畳させた拡大／縮小被写体画像とが略一致するように、拡大/縮小操作をユーザに促すメッセージを表示してもよい。
【００４０】
ここで、図５を参照して、ステップＳ１１０の処理について説明する。
図５（Ａ）は、ステップＳ１１０の処理が開始される前の表示部１２に表示されているライブビュー画像を示した図である。この図において、撮像装置１に近い中央のコップＰ１とこのコップが置かれている台Ｐ２とからなる領域が主要被写体領域と判別されている。また、この図において、コップＰ１と台Ｐ２とからなる主要被写体領域は背景領域に対して小さいため、ぼかし処理には不適（ステップＳ１０６；Ｎｏ）と判別されている。
この状態でステップＳ１１０の処理が実行されると、図５（Ｂ）に示すように、ぼかし処理に適したサイズに主要被写体領域が拡大された斜線で示す拡大被写体画像Ｐ３が、半透明処理されてライブビュー画像に重畳される。また、このライブビュー画面には、半透明させた拡大被写体画像に主要被写体画像を合わせることを指示するメッセージ１２１が画面上部に表示される。
【００４１】
図２に戻り、続いて、ユーザは、半透明表示されている拡大／縮小被写体画像に主要被写体が略一するように操作部１３のズームボタンを操作する。制御部１４は、この操作に応じて撮像部１１のレンズ駆動モータを制御して、表示部１２に表示されているライブビュー画像を拡大／縮小する（ステップＳ１１１）。
【００４２】
続いて、制御部１４は、拡大／縮小したライブビュー画像内で主要被写体が表示されている領域（主要被写体領域）と拡大／縮小被写体が表示されている領域（拡大／縮小被写体領域）とが略一致するか否かを判別する（ステップＳ１１２）。
例えば、制御部１４は、ライブビュー画像を解析して抽出した、距離情報や色相の分布やエッジライン等に基づいて主要被写体領域を特定し、拡大／縮小被写体領域との一致率を算出する。そして、制御部１４は、算出した一致率が閾値以上である場合に、略一致すると判別すればよい。
又は、制御部１４は、主要被写体領域と拡大／縮小被写体領域との面積比から、両領域が略一致するための拡大／縮小率を算出し、ライブビュー画像が算出された拡大／縮小率で拡大／縮小された場合に、略一致すると判別してもよい。
【００４３】
ライブビュー画像内で主要被写体領域と拡大／縮小被写体領域とが略一致していないと判別した場合（ステップＳ１１２；Ｎｏ）、処理はステップＳ１１１に戻り、ユーザからの指示操作に応じて、ライブビュー画像を拡大／縮小する処理を繰り返す。
【００４４】
ライブビュー画像内で主要被写体領域と拡大／縮小被写体領域とが略一致すると判別した場合（ステップＳ１１２；Ｙｅｓ）、自然なぼかし処理が可能となるまで十分に主要被写体領域が拡大／縮小されたこととなる。従って、制御部１４は、ぼかし処理が可能である旨をテキスト等でライブビューに表示（報知）する（ステップＳ１１３）。なお、制御部１４は、ぼかし処理が可能であることを特定の音を出力する等して報知してもよい。
【００４５】
ユーザは、この表示を確認した後、制御部１４のシャッターボタンを押下する。この操作に応答して、制御部１４は、撮像部１１に撮像を行わせ、撮像画像を取得する（ステップＳ１１４）。そして、制御部１４は、撮像画像の主要被写体領域以外の領域（背景領域）にぼかし処理を施し（ステップＳ１１５）、記録メディアＩＦ部１６を介して、記録メディア２に記録する（ステップＳ１１６）。以上でぼかし処理は終了する。
【００４６】
このように、本実施形態によれば、撮像装置１は、ぼかし処理を行う前に、撮像画像がぼかし処理に適した状態であるか否かを判別する。そして、ぼかし処理に不適と判別された場合、撮像装置１は、ぼかし処理に適するように主要被写体領域を拡大／縮小した画像をライブビュー画像に重畳表示する。従って、ユーザは、このライブビュー画像を確認することで、どのような条件で撮像すればぼかし処理で自然な画像を撮像することができるかを事前に知ることができる。
【００４７】
なお、本発明は、上記実施形態に限定されず、本発明の要旨を逸脱しない範囲での種々の変更は勿論可能である。
【００４８】
例えば、上記実施形態では、ぼかし処理に最適な条件を示す情報として、主要被写体画像を拡大／縮小して半透明処理を施した画像をライブビュー画像に重畳表示した。しかし、このような画像の重畳表示を行わず、「Ｘ倍に拡大／縮小して下さい」等のメッセージのみをライブビュー画像に重畳表示してもよい。要するに、ぼかし処理に最適な画像を撮像するための条件を示す情報（ぼかし条件情報）を、ライブビュー画像と関連付けて表示できれば、その表示形態は任意の形態が本発明では採用可能である。
【００４９】
また、上記実施形態では、ぼかし処理について述べたがこれに限ること無く、主要被写体と背景との関係を利用し、且つ、主要被写体像、背景の少なくとも一方に特有の印象を与えるような画像の加工処理であれば適宜利用可能である。
【００５０】
さらに、例えば、本発明の実施形態に係る撮像装置１の動作を規定する動作プログラムを既存のパーソナルコンピュータや情報端末機器等に適用することで、当該パーソナルコンピュータ等を本発明の実施形態に係る撮像装置１として機能させることも可能である。
【００５１】
また、このようなプログラムの配布方法は任意であり、例えば、ＣＤ−ＲＯＭ（Compact Disk Read-Only Memory）、ＤＶＤ（Digital Versatile Disk）、ＭＯ（Magneto Optical Disk）、メモリカードなどのコンピュータ読み取り可能な記録媒体に格納して配布してもよいし、インターネットなどの通信ネットワークを介して配布してもよい。
【００５２】
これまで、本発明のいくつかの実施形態を説明したが、本発明には、特許請求の範囲に記載された発明とその均等の範囲が含まれる。以下に、本願出願の当初の特許請求の範囲に記載された発明を付記する。
【００５３】
（付記１）
撮像手段と、
前記撮像手段によって撮像された撮像画像における主要被写体領域と主要被写体領域以外によって構成される背景領域との関係に基づき、前記撮像画像が特定の加工処理を施すに適した画像であるか否かを判別する判別手段と、
前記判別手段が否と判別した場合、前記特定の加工処理を施すのに適した画像を撮像するための条件を、前記撮像手段によって撮像されている画像と関連付けて表示する表示手段と、
を備えることを特徴とする撮像装置。
【００５４】
（付記２）
前記撮像手段によって撮像されている画像から、前記特定の加工処理を施すための条件を満たす画像を生成する生成手段を更に備え、
前記表示手段は、前記生成手段によって生成された画像を前記撮像されている画像に重畳して表示する、
ことを特徴とする付記１に記載の撮像装置。
【００５５】
（付記３）
前記表示手段によって前記撮像されている画像と前記生成手段によって生成された画像とにおいて、前記主要被写体領域同士が略一致した場合に、前記特定の加工処理に適した画像を撮像することが可能になったことを報知する報知手段をさらに備える、
ことを特徴とする付記２に記載の撮像装置。
【００５６】
（付記４）
前記生成手段は、前記特定の加工処理を施すための条件を満たす画像として、前記撮像手段によって撮像されている画像から、前記主要被写体領域と前記背景領域との面積比が所定比率になるように該主要被写体領域を拡大／縮小した画像を生成する、
ことを特徴とする付記２又は３に記載の撮像装置。
【００５７】
（付記５）
前記特定の加工処理とは前記主要被写体領域と前記背景領域との面積比が所定比率である場合に効果的な処理であるとともに、前記判別手段は前記主要被写体領域と前記背景領域との関係として前記面積比に基づいて判別する、
ことを特徴とする付記１乃至４の何れか１つに記載の撮像装置。
【００５８】
（付記６）
フォーカスレンズと、
前記主要被写体領域に合焦した際の前記フォーカスレンズの位置情報と、前記背景領域に合焦した際の前記フォーカスレンズの位置情報とを取得するレンズ位置取得手段と、
を更に備え、
前記特定の加工処理とは前記主要被写体領域に合焦した際の前記フォーカスレンズの位置情報と前記背景領域に合焦した際の前記フォーカスレンズの位置情報とが所定範囲内にある場合に効果的な処理であるとともに、前記判別手段は前記主要被写体領域と前記背景領域との関係として前記レンズ位置取得手段によって取得された夫々の位置情報に基づいて判別する、
ことを特徴とする付記１乃至４の何れか１つに記載の撮像装置。
【００５９】
（付記７）
前記特定の加工処理とは、前記撮像画像において前記主要被写体領域に合焦し前記背景領域をぼかし加工する処理である、
ことを特徴とする付記１乃至６の何れか１つに記載の撮像装置。
【００６０】
（付記８）
撮像部を有する装置が備えるコンピュータを、
前記撮像部によって撮像された撮像画像における主要被写体領域と主要被写体領域以外によって構成される背景領域との関係に基づき、前記撮像画像が特定の加工処理を施すに適した画像であるか否かを判別する判別手段、
前記判別手段が否と判別した場合、前記特定の加工処理を施すのに適した画像を撮像するための条件を、前記撮像部によって撮像されている画像と関連付けて表示出力する表示出力手段、
として機能させることを特徴とするプログラム。
【符号の説明】
【００６１】
１…撮像装置、１１…撮像部、１２…表示部、１３…操作部、１４…制御部、１５…記憶部、１６…記録メディアＩＦ部、２…記録メディア
【図１】
2014057150.tif 000003
【図２】
2014057150.tif 000004
【図３】
2014057150.tif 000005
【図４】
2014057150.tif 000006
【図５】
2014057150.tif 000007